(57)【特許請求の範囲】
【請求項１】
映画フィルムから３−２プルダウンにより得られるビデオ信号において、ビデオテープの１フレーム及び映画フィルムの１フレームに対応する２つのフィールドから構成される第１のフィールドグループと、３つのフィールドから構成され、１番目及び２番目のフィールドはビデオテープの１フレームに対応し、３番目のフィールドはビデオテープの次のフレームに属し、該３つのフィールドは映画フィルムの１フレームに対応する第２のフィールドグループと、２つのフィールドから構成され、該２つのフィールドはビデオテープの異なる２つのフレームに属し、該２つのフィールドは映画フィルムの１つのフレームに対応する第３のフィールドグループと、３つのフィールドから構成され、１番目のフィールドはビデオテープの１つのフレームに属し、２番目及び３番目のフィールドはビデオテープの次のフレームに属し、該３つのフィールドは映画フィルムの１つのフレームに対応する第４のフィールドグループとが第１、第２、第３、第４のフィールドグループの順番に、巡回的に並んだ入力シーケンスを、該入力シーケンスと異なる出力シーケンスに変換して、映画フィルムから３−２プルダウンにより得られた他のビデオ信号にワイプ又はディゾルブするビデオ編集方法において、
上記入力シーケンスに従って順次入力される各フィールドを順次複数のフィールドメモリに巡回的に書き込む書込ステップと、
上記複数のフィールドメモリから巡回的に、上記出力シーケンスに従って各フィールドを順次読み出す読出ステップとを有し、
上記読出ステップでは、上記出力シーケンスが上記他のビデオ信号のシーケンスを維持するように、各フィールドを読み出すことを特徴とするビデオ編集方法。
【請求項２】
上記入力シーケンスが上記第１、第２、第３及び第４のフィールドグループの何れから開始されるかを示す情報が入力される情報入力ステップを更に有する請求項１記載のビデオ編集方法。
【請求項３】
上記複数のフィールドメモリのうちのどのフィールドメモリに対して書込又は読出を行ったかを示すフィールドカウントを変更するフィールドカウント変更ステップを更に有する請求項１記載のビデオ編集方法。
【請求項４】
上記フィールドカウント変更ステップでは、上記フィールドカウントに１を加算し、該フィールドカウントが１０になると、該フィールドカウントを０にすることを特徴とする請求項３記載のビデオ編集方法。
【請求項５】
上記出力シーケンスを示すモード情報が入力されるモード情報入力ステップを有し、
上記読出ステップにおいて、上記入力されたモード情報に基づいて読み出すフィールドメモリを選択することを特徴とする請求項１記載のビデオ編集方法。
【請求項６】
上記モード情報は、少なくとも４つの値をとることを特徴とする請求項５記載のビデオ編集方法。
【請求項７】
上記出力シーケンスにおける上記第１のフィールドグループは、上記入力シーケンスにおける第２、第３又は第４のフィールドグループの１つに対応することを特徴とする請求項１記載のビデオ編集方法。
【請求項８】
映画フィルムから３−２プルダウンにより得られるビデオ信号において、ビデオテープの１フレーム及び映画フィルムの１フレームに対応する２つのフィールドから構成される第１のフィールドグループと、３つのフィールドから構成され、１番目及び２番目のフィールドはビデオテープの１フレームに対応し、３番目のフィールドはビデオテープの次のフレームに属し、該３つのフィールドは映画フィルムの１フレームに対応する第２のフィールドグループと、２つのフィールドから構成され、該２つのフィールドはビデオテープの異なる２つのフレームに属し、該２つのフィールドは映画フィルムの１つのフレームに対応する第３のフィールドグループと、３つのフィールドから構成され、１番目のフィールドはビデオテープの１つのフレームに属し、２番目及び３番目のフィールドはビデオテープの次のフレームに属し、該３つのフィールドは映画フィルムの１つのフレームに対応する第４のフィールドグループとが第１、第２、第３、第４のフィールドグループの順番に、巡回的に並んだ入力シーケンスを、該入力シーケンスと異なる出力シーケンスに変換して、映画フィルムから３−２プルダウンにより得られた他のビデオ信号にワイプ又はディゾルブするビデオ編集システムにおいて、
複数のフィールドメモリと、
上記入力シーケンスに従って順次入力される各フィールドを順次上記複数のフィールドメモリに巡回的に書き込む書込手段と、
上記複数のフィールドメモリから巡回的に、上記出力シーケンスに従って各フィールドを順次読み出す読出手段と、
上記出力シーケンスが上記他のビデオ信号のシーケンスを維持して、各フィールドを読み出すように上記書込手段及び読出手段を制御する制御手段とを備えるビデオ編集システム。
【請求項９】
上記入力シーケンスが上記第１、第２、第３及び第４のフィールドグループの何れから開始されるかを示す情報が入力される情報入力手段を更に備える請求項８記載のビデオ編集システム。
【請求項１０】
上記複数のフィールドメモリのうちのどのフィールドメモリに対して書込又は読出を行ったかを示すフィールドカウントをカウントするフィールドカウント手段を更に備える請求項８記載のビデオ編集システム。
【請求項１１】
上記フィールドカウント手段は、上記フィールドカウントに１を加算し、該フィールドカウントが１０になると、該フィールドカウントを０にすることを特徴とする請求項１０記載のビデオ編集方法。
【請求項１２】
上記出力シーケンスを示すモード情報が入力されるモード情報入力手段を更に備え、
上記制御手段は、上記モード情報入力手段に入力されたモード情報に基づいて、読み出すフィールドメモリを選択するように上記読出手段を制御することを特徴とする請求項８記載のビデオ編集方法。
【請求項１３】
上記出力シーケンスにおける第１のフィールドグループは、上記入力シーケンスにおける第２、第３又は第４のにフィールドグループの１つに対応することを特徴とする請求項８記載のビデオ編集システム。
【請求項１４】
映画フィルムから３−２プルダウンにより得られるビデオ信号において、ビデオテープの１フレーム及び映画フィルムの１フレームに対応する２つのフィールドから構成される第１のフィールドグループと、３つのフィールドから構成され、１番目及び２番目のフィールドはビデオテープの１フレームに対応し、３番目のフィールドはビデオテープの次のフレームに属し、該３つのフィールドは映画フィルムの１フレームに対応する第２のフィールドグループと、２つのフィールドから構成され、該２つのフィールドはビデオテープの異なる２つのフレームに属し、該２つのフィールドは映画フィルムの１つのフレームに対応する第３のフィールドグループと、３つのフィールドから構成され、１番目のフィールドはビデオテープの１つのフレームに属し、２番目及び３番目のフィールドはビデオテープの次のフレームに属し、該３つのフィールドは映画フィルムの１つのフレームに対応する第４のフィールドグループとが第１、第２、第３、第４のフィールドグループの順番に、巡回的に並んだ入力シーケンスのビデオ信号を再生する第１のビデオ再生装置と、
映画フィルムから３−２プルダウンにより得られた他のビデオ信号を出力シーケンスに従って再生する第２のビデオ再生装置と、
上記第１のビデオ再生装置の出力に接続され、ビデオ信号をフィールド毎に記憶する複数のフィールドメモリと、上記入力シーケンスに従って順次入力される各フィールドを順次上記複数のフィールドメモリに巡回的に書き込む書込手段と、上記複数のフィールドメモリから巡回的に、上記出力シーケンスに従って各フィールドを順次読み出す読出手段と、上記出力シーケンスが上記他のビデオ信号のシーケンスを維持して、各フィールドを読み出すように上記書込手段及び読出手段を制御する制御手段とを有するリシーケンサと、
上記リシーケンサ及び第２のビデオ再生装置の出力に接続され、該リシーケンサの出力を含む複数のビデオ信号を切り換えて出力する切換装置と、
上記切換装置の出力に接続され、上記切換装置からのビデオ信号を記録するビデオ記録装置と、
上記ビデオ再生装置、リシーケンサ、切換装置及びビデオ記録装置を制御する編集制御装置とを備えるビデオポストプロダクション用のビデオ編集システム。
【発明の詳細な説明】
【０００１】
【発明の属する技術分野】
本発明は、ポストプロダクションにおけるビデオ編集方法及びビデオ編集システムに関し、特に、標準の２４フレーム／秒の映画フィルムから変換された動画素材の編集に用いられるビデオ編集方法及びビデオ編集システムに関する。
【０００２】
【従来の技術】
映画フィルムやビデオテープでは、フレームと呼ばれる連続した静止画像を高速に再生することにより、動画像が生成される。例えば、商業映画では、１秒間に２４フレームが再生されるように定められている。一方、アメリカ合衆国で採用されているテレビジョン標準規格ＮＴＳＣに準拠したビデオテープについては、１秒間に２９．９７フレームが再生されるように定められている。また、高精細度のビデオ規格ＳＭＰＴＥ−２４０Ｍに準拠した高解像ビデオテープについては、１秒間に３０フレームが再生されるように定められている。ヨーロッパにおけるＰＡＬ規格及びＳＥＣＡＭ規格では、ビデオテープは１秒間に２５フレームが再生されるよう定められている。
【０００３】
フレームレートの違いの他に、ビデオ再生と映画再生には重要な相違がある。すなわち、ビデオテープにおいては、画面に表示される画像は、多数の水平走査線に分割されている。アメリカ合衆国のＮＴＳＣ規格では、画面上で全てが見えるわけではないが、５２５本の走査線があり、一方、ヨーロッパのＰＡＬ規格では、６２５本の走査線がある。ビデオテープにおいては、各フレームに対応する走査線は、偶数フィールドに対応するものと奇数フィールドに対応するものとに分割されている。ビデオテープでは、フレームを記録するために、まず、一方のフィールドを記録し、続いて他方のフィールドを記録する。したがって、ビデオテープにおける１フレームは、２つのフィールドから構成され、例えばＳＭＰＴＥ−２４０Ｍに準拠したビデオテープでは、１秒間に３０フレーム、すなわち１秒間に６０フィールドが再生される。
【０００４】
映画フィルムからビデオテープに動画像の素材を変換することは、頻繁に行われている。このような機能を備えたテレシネと呼ばれる装置が知られている。テレシネの詳細については、本願の発明者による米国特許第５，４２８，３８７号に開示されている。近年では、逆に、ビデオテープに記録された動画像の素材を映画フィルムに変換することも頻繁に行われている。特に、高精細度ビデオ編集機器を用いることにより、画質を劣化させることなく、このような変換ができる。何れの場合でも、映画フィルムの２４フレーム／秒と、ビデオテープにおける２５、２９．９７又は３０フレーム／秒との間の補間が必要である。
【０００５】
２４フレーム／秒の映画フィルムを、２９．９７若しくは３０フレーム／秒のビデオテープに変換する際に必要とされるフレームレートの差異を補間する標準的な処理は、３−２プルダウンと呼ばれている。この処理においては、映画フィルムの偶数番目のフレームは、ビデオテープの連続する２つのフィールドに記録される。この２つのフィールドは、対応する走査線の組が違うという点を除けば同一のものである。一方、映画フィルムの奇数番目のフレームは、ビデオテープの連続する３つのフィールドに記録される。この３つのフィールドも、対応する走査線の組が違うという点を除けば同一のものである。このようにして、２４フレーム／秒のフレームレートで記録された映画フィルムの、再生時間にして１／１２秒に相当する２枚１組のフレームは、ビデオテープにおける５つのフィールドに変換される。５つのフィールドの再生時間は、６０フィールド／秒のフレームレートで再生されるビデオテープにおいても、映画フィルムと同様に１／１２秒である。
【０００６】
図８に示すように、映画フィルム１００を３−２プルダウンにより変換したビデオテープには、例えばフィールドグループ１２５、１３０、１３５、１４０等が記録され、各フィールドグループは、例えば映画フィルム１００のフレーム、例えばフレーム１０５、１１０、１１５、１２０等に対応している。フィールドグループは、実質的に４つの種類に分類され、以下では、それぞれのフィールドグループをＡ、Ｂ、Ｃ、Ｄと呼ぶこととする。Ａフィールドグループは、ビデオテープの１フレーム及び映画フィルムの１フレームに対応する２つのフィールドから構成される。Ｂフィールドグループは、３つのフィールドから構成され、１番目及び２番目のフィールドは、ビデオテープの１フレームに対応し、３番目のフィールドは、ビデオテープの次のフレームに属しており、また、この３つのフィールドは、映画フィルムの１フレームに対応している。Ｃフィールドグループは、２つのフィールドから構成され、この２つのフィールドは、ビデオテープの異なる２つのフレームに属し、また、映画フィルムの１つのフレームに対応している。Ｄフィールドグループは、３つのフィールドから構成され、１番目のフィールドは、ビデオテープの１つのフレームに属し、２番目及び３番目のフィールドは、ビデオテープの次のフレームに属し、また、全てのフィールドは、映画フィルムの１つのフレームに対応している。
【０００７】
ここに示す例において、ＡフィールドグループとＣフィールドグループには、下記のような相違が認められる。すなわち、ＡフィールドグループとＣフィールドグループは、何れも映画フィルムの１フレームに対応しているが、Ａフィールドグループの第１のフィールドは、ビデオテープの第１のフィールドに、すなわち偶数フィールドの走査線に対応しているのに対し、Ｃフィールドグループの第１のフィールドは、ビデオテープの第２のフィールドに、すなわち奇数フィールドの走査線に対応している。同様の相違がＢフィールドグループとＤフィールドグループの間にも認められる。すなわち、Ｂフィールドグループの第１のフィールドは、ビデオテープの第１のフィールド、すなわち偶数フィールドの走査線に対応しているのに対し、Ｄフィールドグループの第１のフィールドは、ビデオテープの第２のフィールド、すなわち奇数フィールドの走査線に対応している。
【０００８】
３−２プルダウンにより映画フィルムから変換されたビデオテープには、図８に示すようなＡＢＣＤ、ＡＢＣＤ、ＡＢＣＤ・・・といったフィールドグループのシーケンスが繰り返されている。ビデオテープの冒頭の２つのフィールドは、Ａフィールドグループに属するということから、ビデオテープ内のフィールドの位置を知ることにより、そのフィールドがＡ、Ｂ、Ｃ、Ｄのどのフィールドグループに属するかを知ることができる。近年のビデオテープの編集においては、各フレームにはタイムコードが付されている。このタイムコードは、時をhh、分をmm、秒をss、フレーム（フィールドではない）をffとして、hh:mm:ss:ffといった形式で表される。ビデオテープには、１秒当たり６組のＡ、Ｂ、Ｃ及びＤフィールドグループが記録されており、１組のフィールドグループは、５つのフレームに相当するため、タイムコードのビデオフレーム番号ffのみからそのフレームを構成するフィールドがＡ、Ｂ、Ｃ及びＤのどのフィールドグループに属するものであるかを知ることができる。特に、各秒の最初のフレームは、Ａフィールドグループを構成する２つのフィールドから構成され、各秒の２番目のフレームを構成するフィールドは、Ｂフィールドグループの一部を構成する２つのフィールドであり、各秒の３番目のフレームは、Ｂフィールドグループの一部である１つのフィールドと、Ｃフィールドグループの一部である１つのフィールドとから構成される。このようにして、それぞれのフィールドがどのフィールドグループに属するものであるかを知ることができる。
【０００９】
ビデオ編集において、２つ以上のビデオソースを用いた、カット、ワイプ又はディゾルブといった処理が知られている。ポストプロダクション業界で知られているビデオ編集システムでは、あらゆるフレームの境界で、このカット、ワイプ及びディゾルブ処理が可能である。
【００１０】
以下、図９に示すような典型的なビデオ編集の手順について検討する。この例では、ビデオ編集システムの利用者は、映画フィルムから３−２プルダウンにより変換されたビデオテープＸ及びビデオテープＹを使用している。例えば、利用者がビデオテープＸから、図９に示す番号０〜５の６つのフレームをコピーのために出力し、続いてビデオテープＹの番号０〜４の５つのフレームを出力するような処理を行おうとしているとする。ビデオテープＸ、Ｙは、それぞれ３−２プルダウンにより変換されたものであるので、ビデオテープＸのフレーム０〜５は、映画フィルムの５つのフレーム（以下、５つのフィルムフレームという。）に基づくものであり、ＡＢＣＤＡといったフィールドグループのシーケンスからなり、一方、ビデオテープＹのフレーム０〜４は、４つのフィルムフレームに基づくものであり、ＡＢＣＤといったフィールドグループのシーケンスからなる。この処理が従来のビデオ編集システムによりなされた場合、ビデオテープＸの最初の６つのビデオフレーム０〜５は、出力ビデオテープＺにコピーされてＡＢＣＤＡといった最初のシーケンスを形成する。続いて、ビデオテープＹのビデオフレーム０〜４が出力ビデオテープＺにコピーされる。この追加のコピーにより、図９に示すように、出力ビデオテープＺにはＡＢＣＤＡＡＢＣＤといった、好ましくない不規則なシーケンスが形成される。
【００１１】
図９に示す処理が、カットではなくディゾルブであるとする。すなわち、ビデオテープＸの画像にビデオテープＹの画像が混合されて、時間と共に徐々にビデオテープＹの画像に移り変わるような処理がなされたとする。図９から明らかなように、出力ビデオテープＺのフレーム７は、２つのフィールドから構成されている。出力ビデオテープＺのフレーム７の第１のフィールドは、ビデオテープＸの数字７と８に挟まれたＢフィルムフレームに基づく画像と、ビデオテープＹの数字１と２に挟まれたＢフィルムフレームに基づく画像とを混合したものである。一方、出力ビデオテープＺのフレーム７の第２のフィールドには、ビデオテープＸの数字７と８に挟まれたＣフィルムフレームに基づく画像と、ビデオテープＹの数字１と２に挟まれたＢフィルムフレームに基づく画像とが混合されるといった不都合が生じる。
【００１２】
以上の例が示すように、ソースとなるビデオテープＸ、Ｙが、フィルムから３−２プルダウンにより変換され、そのフィールドグループがＡＢＣＤが連続する完全なシーケンスからなっていても、ビデオ編集処理により出力されたテープでは、ＡＢＣＤのシーケンスが乱れ、不規則なシーケンスを有するものとなる可能性がある。この不規則性により、出力ビデオテープＺが再びフィルムに変換されたとき、映像に視覚で感知できる程の悪影響が現れる。カット処理をただ１度行うだけでも、カット以降のビデオテープ全体にＡＢＣＤシーケンスのずれが生じ、現在のフィールドがＡ、Ｂ、Ｃ、Ｄのどのフィールドグループに属するかをタイムコードから判別することができなくなる。
【００１３】
このような問題を回避するための技術として、ＡＢＣＤシーケンスを１組としてその組の境界のみでしかカット、ワイプ又はディゾルブといった処理を行わないよう制限する手法がある。ＡＢＣＤの１組は５フレーム分の長さを有し、これは１／６秒に相当し、この手法では、例えば映像と音響効果を同期させる等の編集者の意図する技巧が著しく制限される。このような創造性の制限は、実際には受け入れ難いものである。
【００１４】
【発明が解決しようとする課題】
本発明は上述の問題に鑑み、フィールドグループのＡＢＣＤシーケンスの規則性を保ち、画像の解像度を劣化させることなくカット、ディゾルブ等の編集処理を可能にするビデオ編集方法及びビデオ編集システムを提供することを目的とする。また、本発明は、従来のビデオ編集システムに大幅な変更を加えることなく、必要最小限の変更で上述の課題を解決することを目的とする。
【００１５】
【課題を解決するための手段】
上述の課題を解決するために、本発明に係るビデオ編集方法は、映画フィルムから３−２プルダウンにより得られるビデオ信号において、ビデオテープの１フレーム及び映画フィルムの１フレームに対応する２つのフィールドから構成される第１のフィールドグループと、３つのフィールドから構成され、１番目及び２番目のフィールドはビデオテープの１フレームに対応し、３番目のフィールドはビデオテープの次のフレームに属し、これらの３つのフィールドは映画フィルムの１フレームに対応する第２のフィールドグループと、２つのフィールドから構成され、これらの２つのフィールドはビデオテープの異なる２つのフレームに属し、これらの２つのフィールドは映画フィルムの１つのフレームに対応する第３のフィールドグループと、３つのフィールドから構成され、１番目のフィールドはビデオテープの１つのフレームに属し、２番目及び３番目のフィールドはビデオテープの次のフレームに属し、これらの３つのフィールドは映画フィルムの１つのフレームに対応する第４のフィールドグループとが第１、第２、第３、第４のフィールドグループの順番に、巡回的に並んだ入力シーケンスを、この入力シーケンスと異なる出力シーケンスに変換して、映画フィルムから３−２プルダウンにより得られた他のビデオ信号にワイプ又はディゾルブするビデオ編集方法において、入力シーケンスに従って順次入力される各フィールドを順次複数のフィールドメモリに巡回的に書き込む書込ステップと、複数のフィールドメモリから巡回的に、出力シーケンスに従って各フィールドを順次読み出す読出ステップとを有し、読出ステップでは、出力シーケンスが他のビデオ信号のシーケンスを維持するように、各フィールドを読み出す。
【００１６】
また、本発明に係るビデオ編集システムは、映画フィルムから３−２プルダウンにより得られるビデオ信号において、ビデオテープの１フレーム及び映画フィルムの１フレームに対応する２つのフィールドから構成される第１のフィールドグループと、３つのフィールドから構成され、１番目及び２番目のフィールドはビデオテープの１フレームに対応し、３番目のフィールドはビデオテープの次のフレームに属し、これらの３つのフィールドは映画フィルムの１フレームに対応する第２のフィールドグループと、２つのフィールドから構成され、これらの２つのフィールドはビデオテープの異なる２つのフレームに属し、これらの２つのフィールドは映画フィルムの１つのフレームに対応する第３のフィールドグループと、３つのフィールドから構成され、１番目のフィールドはビデオテープの１つのフレームに属し、２番目及び３番目のフィールドはビデオテープの次のフレームに属し、これらの３つのフィールドは映画フィルムの１つのフレームに対応する第４のフィールドグループとが第１、第２、第３、第４のフィールドグループの順番に、巡回的に並んだ入力シーケンスを、この入力シーケンスと異なる出力シーケンスに変換して、映画フィルムから３−２プルダウンにより得られた他のビデオ信号にワイプ又はディゾルブするビデオ編集システムにおいて、複数のフィールドメモリと、入力シーケンスに従って順次入力される各フィールドを順次複数のフィールドメモリに巡回的に書き込む書込手段と、複数のフィールドメモリから巡回的に、出力シーケンスに従って各フィールドを順次読み出す読出手段と、出力シーケンスが他のビデオ信号のシーケンスを維持して、各フィールドを読み出すように書込手段及び読出手段を制御する制御手段とを備える。
【００１７】
また、本発明に係るビデオポストプロダクション用のビデオ編集システムは、映画フィルムから３−２プルダウンにより得られるビデオ信号において、ビデオテープの１フレーム及び映画フィルムの１フレームに対応する２つのフィールドから構成される第１のフィールドグループと、３つのフィールドから構成され、１番目及び２番目のフィールドはビデオテープの１フレームに対応し、３番目のフィールドはビデオテープの次のフレームに属し、これらの３つのフィールドは映画フィルムの１フレームに対応する第２のフィールドグループと、２つのフィールドから構成され、これらの２つのフィールドはビデオテープの異なる２つのフレームに属し、これらの２つのフィールドは映画フィルムの１つのフレームに対応する第３のフィールドグループと、３つのフィールドから構成され、１番目のフィールドはビデオテープの１つのフレームに属し、２番目及び３番目のフィールドはビデオテープの次のフレームに属し、これらの３つのフィールドは映画フィルムの１つのフレームに対応する第４のフィールドグループとが第１、第２、第３、第４のフィールドグループの順番に、巡回的に並んだ入力シーケンスのビデオ信号を再生する第１のビデオ再生装置と、映画フィルムから３−２プルダウンにより得られた他のビデオ信号を出力シーケンスに従って再生する第２のビデオ再生装置と、第１のビデオ再生装置の出力に接続されたリシーケンサと、リシーケンサ及び第２のビデオ再生装置の出力に接続され、リシーケンサの出力を含む複数のビデオ信号を切り換えて出力する切換装置と、切換装置の出力に接続され、切換装置からのビデオ信号を記録するビデオ記録装置と、第１のビデオ再生装置、リシーケンサ、切換装置及びビデオ記録装置を制御する編集制御装置とを備える。更に、リシーケンサは、ビデオ再生装置の出力に接続され、ビデオ信号をフィールド毎に記憶する複数のフィールドメモリと、入力シーケンスに従って順次入力される各フィールドを順次複数のフィールドメモリに巡回的に書き込む書込手段と、複数のフィールドメモリから巡回的に、出力シーケンスに従って各フィールドを順次読み出す読出手段と、出力シーケンスが他のビデオ信号のシーケンスを維持して、各フィールドを読み出すように書込手段及び読出手段を制御する制御手段とを備える。
【００１８】
すなわち、上述の課題を解決するために、本発明は、リシーケンサという新規な装置を用いる。リシーケンサは、ビデオ設備に用いられている例えばＮＴＳＣやＳＭＰＴＥ−２４０Ｍ等の規格に基づく毎秒のコマ数に応じて１ビデオフィールド分の画像をそれぞれ記憶する８つのフィールド記憶手段を備える。リシーケンサの入力端子にはビデオ再生手段が接続されており、リシーケンサは出力端子からビデオ信号を出力する。リシーケンサは、ビデオ編集システム内のビデオ再生手段に一対一で対応し、例えばビデオ編集システムが３つのビデオ再生手段から編集作業を行って出力ビデオテープＺを作製するものであれば、３つのリシーケンサが必要となる。
【００１９】
また本発明に係るビデオ編集システムは、リシーケンサのインタフェースを司るとともにそれらを制御する編集コントローラを備える。編集コントローラは、リシーケンサを制御してリシーケンサに入力された信号を適切な形式に変換させ、フィールドグループのＡＢＣＤシーケンスが規則的に繰り返されたビデオ信号を出力し、出力ビデオテープＺにはＡＢＣＤシーケンスが規則的に繰り返された望ましいビデオ信号が記録される。
【００２０】
編集コントローラとリシーケンサの共働により、出力ビデオテープＺのフィールドグループのＡＢＣＤシーケンスの規則性を保ちながら、２つのビデオ信号に対しカット、ワイプ又はディゾルブ等の編集を行うことができる。カット、ワイプ及びディゾルブ等の処理は、最小コマ単位で行うことができ、素材となるビデオ信号のＡ、Ｂ、Ｃ及びＤフィールドグループの何れからカット、ワイプ又はディゾルブを行っても、Ａ、Ｂ、Ｃ及びＤフィールドグループのうち、任意のフィールドグループを出力することができる。
【００２１】
【発明の実施の形態】
以下、本発明に係るビデオ編集方法及びビデオ編集システムについて図面を参照して説明する。
【００２２】
以下では、説明のために発明の構成要素に特定の名称を用いて、発明の実施の形態を説明する。以下に示す詳細な記述は単なる例であり、発明の実施に必ずしも必要ではないということは、当業者には明らかである。また、発明を説明する図面には、発明を明瞭にするために、良く知られた回路及び装置をブロック図にして示している。
【００２３】
本発明を適用したビデオ編集システムは、ポストプロダクションにおけるビデオ編集等に用いられる。このビデオ編集システムは、図１に示すように、編集コントローラ３３０を備え、利用者は、編集コントローラ３３０を操作して、編集作業を行う。また、このビデオ編集システムは、素材となるビデオ信号を再生する２つ以上のビデオテープレコーダ（以下、ＶＴＲという。）３００、３２０と、２つ以上のリシーケンサ３０５、３２５と、切換装置３１０と、出力ビデオテープＺに記録を行うＶＴＲ３１５とを備えている。ＶＴＲ３００、３２０は、それぞれリシーケンサ３０５、３２５に接続され、リシーケンサ３０５、３２５は、切換装置３１０に接続されている。このビデオ編集システムは、図示しないが、通常、コンソールと、ビデオモニタ装置と、音声ミキサと、スピーカ等の他の機器を備えている。
【００２４】
図２は、このビデオ編集システムの実際の編集処理における動作を示すものである。まず、ＶＴＲ３２０におけるビデオテープＸの最初の６つのビデオフレームが、ＶＴＲ３１５における出力ビデオテープＺの最初の部分に、ＡＢＣＤＡのシーケンスを有する５つのフィールドグループのビデオ信号（以下、単にフィールドグループという。）として記録される。一方、ＶＴＲ３００におけるビデオテープＹの最初のフレームのシーケンスは、出力ビデオテープＺに記録される前に、リシーケンサ３０５によりＡＢＣＤシーケンスからＢＣＤＡシーケンスに変換される。この変換（以下、位相変換ともいう。）により、出力ビデオテープＺには、ＡＢＣＤのシーケンスが繰り返される。
【００２５】
このように、例えばＡＢＣＤシーケンスをＢＣＤＡシーケンスに変換するために、リシーケンサ３０５は、幾つかのビデオフィールドをコピーして、残りのフィールドを削除するような動作を行う。例えば、図２に示すビデオテープＹの最初のＡフィールドグループは、２つのフィールドからなっているが、これを、リシーケンサ３０５は、３つのフィールドからなるＢフィールドグループに変換して出力ビデオテープＺに記録する。この動作のために、リシーケンサ３０５は、ビデオテープＹのＡフィールドグループの第１番目のフィールドを、出力ビデオテープＺのＢフィールドグループの第１番目及び第３番目のフィールドとして記録し、ビデオテープＹのＡフィールドグループの第２番目のフィールドを、出力ビデオテープＺのＢフィールドグループの第２番目のフィールドとして記録する。続いて、図２に示すビデオテープＹのＢフィールドグループをＣフィールドグループに変換するために、リシーケンサ３０５は、３つのフィールドを２つのフィールドに変換する。これは、ビデオテープＹのＢフィールドグループの最後にある第３のフィールドを削除し、最初の２つのフィールドの順序を逆にすることにより行われる。このようにフィールドの順序を入れ替える理由は、Ｂフィールドグループの第１番目のフィールドが、偶数フィールドの走査線に対応するものであるのに対し、Ｃフィールドグループの第１番目のフィールドは、奇数フィールドの走査線に対応するものであるからである。続いて、リシーケンサ３０５は、同様にビデオテープＹのＣフィールドグループをＤフィールドグループに変換する。ＡフィールドグループからＢフィールドグループへの変換と同様に、ビデオテープＹのＣフィールドグループの第１番目のフィールドを出力ビデオテープＺのＤフィールドグループの第１番目及び第３番目のフィールドに記録し、ビデオテープＹのＣフィールドグループの第２番目のフィールドを出力ビデオテープＺのＤフィールドグループの第２番目のフィールドに記録する。最後に、リシーケンサ３０５は、ビデオテープＹのＤフィールドグループをＡフィールドグループに変換するために、Ｄフィールドグループの最後のフィールドを削除し、残る最初の２つのフィールドの順序を入れ替える。
【００２６】
図２に示す例では、テープに記録されたＡＢＣＤシーケンスをＢＣＤＡシーケンスに変換するものであるが、他の編集処理においては、フィールドグループのシーケンスをＡＢＣＤからＣＤＡＢに、若しくはＡＢＣＤシーケンスをＤＡＢＣシーケンスに変換する必要がある場合もあり、また、ＡＢＣＤシーケンスのまま出力ビデオテープＺに記録してよい場合もある。このように、リシーケンサ３０５、３２５の動作モードは４つあり、以下では便宜的に、入力されたＡＢＣＤシーケンスをＡＢＣＤシーケンスのまま出力するモードをＡＢＣＤモードと、入力されたＡＢＣＤシーケンスをＢＣＤＡシーケンスとして出力するモードをＢＣＤＡモードと、入力されたＡＢＣＤシーケンスをＣＤＡＢシーケンスとして出力するモードをＣＤＡＢモードと、入力されたＡＢＣＤシーケンスをＤＡＢＣシーケンスとして出力するモードをＤＡＢＣモードと呼ぶこととする。
【００２７】
リシーケンサ３０５、３２５は、図３に示すように、８つのフィールドのビデオ信号（以下、単にフィールドという。）を記憶するフィールドメモリ５００１、５００２、・・・、５００８と、フィールドメモリ５００１〜５００８を制御する読出／書込コントローラ５０５と、編集コントローラ３３０からの入力によりリシーケンサ３０５、３２５の動作を制御するコントローラ５１５とを備える。リシーケンサ３０５、３２５に入力され、或いはリシーケンサ３０５、３２５から出力されるフィールドは、例えばデジタル形式のものであり、この分野で良く知られている数多くのビデオフォーマットの何れに準拠するものであってもよい。各フィールドの再生時間、すなわち１／６０秒毎に入力されるフィールドは、８つのフィールドメモリ５００１〜５００８のうちの１つに書き込まれ、同時に、別のフィールドメモリ５００１〜５００８に記憶されているフィールドが読み出され、リシーケンサ３０５、３２５の出力端子から出力される。また、リシーケンサ３０５、３２５は、フィールドを出力する毎に、すなわち１／６０秒毎に出力するフィールドの数をカウントするフィールドカウンタ５１０を備える。このフィールドカウンタ５１０に計数された数をフィールドカウントと呼ぶ。フィールドカウントは、１０を法として０〜９の値をとる。これは、都合がよいことに、フィールドカウントが９を超える度に０にリセットすることにより実現することができる。コントローラ５１５は、それぞれの動作モードに応じて何れかのフィールドメモリ５００１〜５００８に対して書込を行い、何れのフィールドメモリ５００１〜５００８から読出を行うかを決定するとともに、フィールド数のカウントを行う。この手順を以下に詳細に説明する。
【００２８】
図４乃至図７は、それぞれ４つのモードに対応しており、各モードの各フィールドカウントに対応する時間に、どのフィールドメモリ５００１〜５００８に対して書込が行われ、また読出が行われるかを示すものである。図４は、リシーケンサ３０５がＡＢＣＤモードで動作している場合に、各フィールドカウントに対応する時間にどのフィールドメモリ５００１〜５００８に対して書込が行われ、また読出が行われるかを示すものである。図４は、例えばフィールドカウントが０のとき、フィールドメモリ５００１に対して書込が行われ、フィールドメモリ５００７から読出が行われることを示している。フィールドカウントが１のとき、２番目の欄に示すように、フィールドメモリ５００２に対して書込が行われ、フィールドメモリ５００８から読出が行われる。フィールドカウントが２のときは、フィールドメモリ５００３に対して書込が行われ、フィールドメモリ５００１から読出が行われる。フィールドカウントが３のときは、フィールドメモリ５００４に対して書込が行われ、フィールドメモリ５００２から読出が行われる。フィールドカウントが４のときは、書込は行われず、フィールドメモリ５００３から読出が行われる。フィールドカウントが５のときは。フィールドメモリ５００６に対して書込が行われ、フィールドメモリ５００４から読出が行われる。フィールドカウントが６のときは、フィールドメモリ５００５に対して書込が行われ、フィールドメモリ５００３から読出が行われる。フィールドカウントが７のときは、フィールドメモリ５００８に対して書込が行われ、フィールドメモリ５００６から読出が行われる。フィールドカウントが８のときは、フィールドメモリ５００７に対して書込が行われ、フィールドメモリ５００５から読出が行われる。そして、フィールドカウントが９のときは、書込は行われず、フィールドメモリ５００８から読出が行われる。
【００２９】
図４に示すように、このリシーケンサ３０５による処理では、入力と出力との間に遅れが生じている。例えば、ＡＢＣＤモードでは、入力されたフィールドは、フィールドカウントが０のときに書き込まれ、フィールドカウントが２のときに読み出されて出力される。すなわち、フィールド２つ分の再生時間、すなわち１／３０秒の遅れが生じている。編集コントローラ３３０は、この時間の遅れに基づいてシステム全体の同期を調整する機能を有している。
【００３０】
図５は、リシーケンサ３０５がＢＣＤＡモードで動作しているときに、各フィールドカウントに対応する時間に、どのフィールドメモリ５００１〜５００８に対して書込が行われ、どのフィールドメモリ５００１〜５００８から読出が行われるかを示すものである。この場合、例えば、フィールドカウントが０のとき、フィールドメモリ５００１に対して書込が行われ、フィールドメモリ５００７から読出が行われる。フィールドカウントが１のとき、フィールドメモリ５００２に対して書込が行われ、フィールドメモリ５００８から読出が行われる。フィールドカウントが２のとき、フィールドメモリ５００３に対して書込が行われ、フィールドメモリ５００１から読出が行われる。フィールドカウントが３以上の値を示す場合も、どのフィールドメモリ５００１〜５００８に対して書込が行われ、どのフィールドメモリ５００１〜５００８から読出が行われるかは、図４を用いた説明と同様、図５においても残りの欄を見れば明らかである。図６及び図７は、それぞれリシーケンサ３０５がＣＤＡＢモード及びＤＡＢＣモードで動作している場合の、各フィールドカウントに応じたフィールドメモリ５００１〜５００８に対する読出及び書込を示す図である。これらのＣＤＡＢモード及びＤＡＢＣモードにおいては、入力と出力の間に３フィールド分の再生時間、すなわち１／２０秒の遅れが生ずる。
【００３１】
以上では、リシーケンサ３０５の動作について、ソースとなるビデオテープから入力されるシーケンスを全てＡから始まるものとして説明してきた。しかしながら、リシーケンサ３０５は、Ｂ、Ｃ又はＤフィールドグループから始まるシーケンスが入力されたとしても同様に動作することができる。Ｂ、Ｃ又はＤフィールドグループから始まるシーケンスに対応するには、０以外のフィールドカウントから動作を開始すればよい。例えば、リシーケンサ３０５が図５に示すようなＢＣＤＡモードで動作しており、ソースとなるビデオテープから入力されるシーケンスがＣから始まるものであるとする。この場合、図５から明らかなように、単にフィールドカウントが０ではなく、５の時点から動作を開始すればよい。この例では、編集コントローラ３３０は、ソースとなるビデオテープが最初に送り出すフィールドグループがどのフィールドグループに属するものであるかを示す情報を、リシーケンサ３０５に供給している。この情報により、リシーケンサ３０５は、どのフィールドカウントから動作を開始するかを決定する。
【００３２】
図４に示す書込及び読出に用いるフィールドメモリ５００１〜５００８の選択は、単なる例示にすぎない。当業者は、使用するフィールドメモリを様々に変更して、指定されたモードにおいて入力されたシーケンスを必要なＡＢＣＤシーケンスに変換することができる。
【００３３】
また、図１において、リシーケンサ３０５、３２５をそれぞれ別個の筐体を有するものとして示しているが、複数のリシーケンサを１つの筐体に納め、電源や、例えば編集コントローラ３３０と接続するためのＲＳ−４２２端子等の他の部品を共有するようにしてもよいことは、当業者には自明である。さらに、好ましい実施の形態として、ビデオテープの編集について説明したが、当業者にとって、本発明がビデオを記録した例えばレーザディスク等の他の媒体についても同様に適応できることは明らかである。
【００３４】
【発明の効果】
本発明に係るビデオ編集方法及びビデオ編集システムは、複数のフィールドメモリから入力フィールドを記憶する第１のフィールドメモリを選択し、第１のフィールドメモリに入力フィールドを書き込み、複数のフィールドメモリから第２のフィールドメモリを選択し、出力フィールドを上記第２のフィールドメモリから読み出し、出力フィールドを出力する。出力シーケンスにおける各フィールドグループは、入力シーケンスにおけるフィールドグループの何れに属するものになるようにされ、入力シーケンスを異なるシーケンスを有する出力シーケンスに変換して出力する。
【００３５】
本発明によれば、映画フィルムから３ー２プルダウンにより変換された複数のビデオテープを編集する際、編集点が制限されることなくカット、ワイプ及びディゾルブ等の編集処理を行うことができ、且つ出力テープに記録されるフィールドグループのシーケンスの規則性が保たれ、映像が劣化することを防ぐことができる。
【図面の簡単な説明】
【図１】本発明を適用したビデオ編集システムの構成を示す図である。
【図２】本発明のビデオテープの編集例を示す図である。
【図３】リシーケンサの内部を説明する図である。
【図４】リシーケンサのＡＢＣＤモードの動作を示す図である。
【図５】リシーケンサのＢＣＤＡモードの動作を示す図である。
【図６】リシーケンサのＣＤＡＢモードの動作を示す図である。
【図７】リシーケンサのＤＡＢＣモードの動作を示す図である。
【図８】３−２プルダウンを説明する図である。
【図９】従来のビデオテープの編集例を示す図である。
【符号の説明】
３００  ＶＴＲ、３０５  リシーケンサ、３１０  切換装置、３１５  ＶＴＲ、３２０  ＶＴＲ、３２５  リシーケンサ、３３０  編集コントローラ
【図１】
0003854397.tif 000002
【図２】
0003854397.tif 000003
【図３】
0003854397.tif 000004
【図４】
0003854397.tif 000005
【図５】
0003854397.tif 000006
【図６】
0003854397.tif 000007
【図７】
0003854397.tif 000008
【図８】
0003854397.tif 000009
【図９】
0003854397.tif 000010